(57)【要約】【課題】先端部分を把持して筆記を行っても滑り止め効果が得られて快適な筆記が行えるとともに、先部材９が軽い力で螺合でき、先部材９の締め不足がなくなるとともにグリップ８がねじれてしまう心配もなくなるシャープペンシルを提供する。【解決手段】先部材９の後端に外鍔９Ｃを形成し、この先部材９の後端面に外側突部９Ｄと内側突部９Ｅを形成する。この先部材９に先カバー１２を装着する。また、軸筒７の把持部７Ｂにグリップ８を装着する。次に、先部材９を軸筒７に螺合し、先カバー１２の後端をグリップ８の内端面８Ａに圧接させる。【選択図】        図１
2008307805.tif 000002
【特許請求の範囲】
【請求項１】
軸筒と、軸筒の前部に着脱可能に螺合される先部材と、弾性体からなり先部材を覆うように装着される先カバーと、弾性体からなり軸筒の把持部に装着されるグリップとからなる筆記具であって、先カバーを前方に向かって縮径させ、この先カバーの後端に前記グリップの前端を接触させるとともに、先部材の後端に外鍔を形成し、この先部材の後端面に後方に向かって突出する外側突部を形成し、外側突部をグリップの内端面に圧接したことを特徴とする筆記具。
【請求項２】
軸筒と、軸筒の前部に着脱可能に螺合される先部材と、弾性体からなり先部材を覆うように装着される先カバーと、弾性体からなり軸筒の把持部に装着されるグリップとからなる筆記具であって、先部材の後端に外鍔を形成し、この先部材の後端面に後方に向かって突出する外側突部を形成し、かつ、先カバーを前方に向かって縮径させるとともに、先カバーの後端が前記先部材の外側突部より後方に突出させて形成し、前記先部材の外側突部をグリップの前端面に圧接し、尚且つ、先カバーの後端がグリップの前端面に接触したことを特徴とする筆記具。
【請求項３】
先カバーに前部内鍔と後部内鍔を形成するとともに、先部材に前部凹溝と後部凹溝を形成し、先部材の前部凹溝に先カバーの前部内鍔を係合し、かつ、先部材の後部凹溝に先カバーの後部内鍔を係合したことを特徴とする請求項１又は２記載の筆記具。
【発明の詳細な説明】
【技術分野】
【０００１】
本発明は、軸筒の把持部にグリップを装着するとともに、先部材に先カバーを装着した筆記具に関する。
【背景技術】
【０００２】
従来から、軸筒の把持部分にグリップ部を被覆し、かつ、口金（先部材に相当）の外周に弾性を有する滑り止め部材（先カバーに相当）を前記グリップ部と離れた位置に設けた筆記具が知られている。（特許文献１参照）
また、口金（先部材に相当）の後端面とグリップ部材の先端面との接触面積を減少させて口金の締め不足を解消した筆記具が知られている。（特許文献２参照）
【特許文献１】特開２００５−７５８４号公報
【特許文献２】特開２００２−２１９８９６号公報
【発明の開示】
【発明が解決しようとする課題】
【０００３】
しかし、特許文献１に記載された筆記具は、滑り止め部材とグリップ部が離間されているので、この離間した部分に指が接触すると、凹凸や材質の違いを指が感じて非常に把持しにくいものであった。
【０００４】
また、特許文献２に記載された筆記具は、口金を覆うように装着される先カバーがなく、先部材を把持して筆記した場合には滑り止め効果が期待できないものである。
【０００５】
更に、単に先部材に先カバーを装着し、この先カバーの後端とグリップの前端とを接触させた場合には、先カバーの後端とグリップの前端が圧接されて、口金の締め不足が発生するとかグリップがねじれてしまうといった問題が発生した。
【０００６】
本発明は、上記問題点を解消するために、先部材に弾性体からなる先カバーを装着し、この先カバーの後端がグリップの前端に接触した場合でも、先部材の締め不足を解消するとともにグリップがねじれてしまう恐れもない筆記具を提供することを目的とするものである。
【課題を解決するための手段】
【０００７】
本発明は、軸筒と、軸筒の前部に着脱可能に螺合される先部材と、弾性体からなり先部材を覆うように装着される先カバーと、弾性体からなり軸筒の把持部に装着されるグリップとからなる筆記具であって、先カバーを前方に向かって縮径させ、この先カバーの後端に前記グリップの前端を接触させるとともに、先部材の後端に外鍔を形成し、この先部材の後端面に後方に向かって突出する外側突部を形成し、外側突部をグリップの内端面に圧接したことを第１の要旨とする。
【０００８】
また、軸筒と、軸筒の前部に着脱可能に螺合される先部材と、弾性体からなり先部材を覆うように装着される先カバーと、弾性体からなり軸筒の把持部に装着されるグリップとからなる筆記具であって、先部材の後端に外鍔を形成し、この先部材の後端面に後方に向かって突出する外側突部を形成し、かつ、先カバーを前方に向かって縮径させるとともに、先カバーの後端が前記先部材の外側突部より後方に突出させて形成し、前記先部材の外側突部をグリップの前端面に圧接し、尚且つ、先カバーの後端がグリップの前端面に接触したことを第２の要旨とする。
【０００９】
更に、先カバーに前部内鍔と後部内鍔を形成するとともに、先部材に前部凹溝と後部凹溝を形成し、先部材の前部凹溝に先カバーの前部内鍔を係合し、かつ、先部材の後部凹溝に先カバーの後部内鍔を係合したことを第３の要旨とする。
【発明の効果】
【００１０】
請求項１及び２記載の発明は、先部材に先カバーが装着されるとともに、先カバーの後端とグリップの前端が接触しているので、先端部分を把持して筆記を行っても滑り止め効果が得られて快適な筆記が行われるものである。また、先部材に外鍔を形成することにより先カバーとグリップの接触面積が少なくなるとともに、先部材の外側突部により先部材とグリップの接触面積が少なくなるので、先部材が軽い力で螺合でき、先部材の締め不足がなくなるとともにグリップがねじれてしまう心配もなくなるものである。
【００１１】
請求項３記載の発明は、先カバーを把持して筆記を行った時に、先カバーが強固に先部材に装着されるので、先カバーが前方に外れてしまう恐れがなくなるものである。
【発明を実施するための最良の形態】
【００１２】
先部材に装着される先カバーとグリップが接触可能で、かつ、先部材が軽い力で軸筒に螺合できる筆記具を実現した。
【実施例１】
【００１３】
図１に示した実施例１は、筆記具を振出式シャープペンシルで説明するものである。尚、図１の左側を前方とし右側を後方とする。先ず、黄銅等からなる金属製のチャック１の後部にポリアセタール製のコネクター２を圧入固着する。このコネクター２には、略中間部に鍔部２Ａを形成し、後部に前方面が垂直で後方面が傾斜した外鍔２Ｂを２個形成する。このコネクター２の後部をポリプロピレン製のパイプ材からなる芯タンク３の前部に圧入固着する。
【００１４】
更に、チャック１の頭部１Ａには締具４が外嵌され、締具４を受け止める連結具５とコネクター２の間にスプリング６が張架される。
【００１５】
軸筒７の前部には細径孔７Ａが形成され、この細径孔７Ａ内を芯タンク３及びコネクター２が挿通可能に構成する。この軸筒７の把持部７Ｂには滑り止め用のグリップ８が装着され、このグリップ８はシリコンゴム等の弾性体で構成される。また、グリップ８は前端からわずかに切り欠かれて内端面８Ａが形成される。しかも、グリップ８の外形は、先端部から徐々に縮径し、かつ、後端に向かって徐々に拡径する円弧状に形成される。
【００１６】
先部材９には、芯１０を適度の力で保持するゴム等の弾性体で構成された芯ホルダー１１が内蔵されるとともに、先部材９の外形が前方に向かうに従って縮径した略円錐状に形成されている。しかも、先部材９の外周面には先カバー１２を装着するための前部係止溝９Ａと後部係止溝９Ｂが形成されている。更に、先部材９の後端には外鍔９Ｃが形成され、この外鍔９Ｃの後端面には後方に向かって突出する外側突部９Ｄと内側突部９Ｅが形成され、グリップ８との接触面積を少なくしている。
【００１７】
先カバー１２は、前述したグリップ８と同じ弾性体で形成されており、先部材９の先端部を除く外周面のほぼ全体を覆うように装着される。かかる先カバー１２は、前方に向かって縮径され、かつ、前端部に前部内鍔１２Ａが形成されるとともに、後端部に後部内鍔１２Ｂが形成される。前記先カバー１２の前部内鍔１２Ａが先部材９の前部係止溝９Ａに係合されるとともに、先カバー１２の後部内鍔１２Ｂが先部材９の後部係止溝９Ｂに係合されている。
【００１８】
前記軸筒７の前方より芯タンク３を挿入するとともに、軸筒７の前部に先部材９を着脱可能に螺合する。この軸筒７の前端と先部材９の内段９Ｆにより前述した連結具５を挾持する。また、先部材９の後端面には外側突部９Ｄと内側突部９Ｅが形成されているので、先部材９を螺合する時、内側突部９Ｅが軸筒７の段部７Ｃに当接されて先部材９の螺合が止められる。また、先部材９の外側突部９Ｄがグリップ８の内端面８Ａに接触するので、先部材９とグリップ８の接触面積は少なくなる。更に、先部材９の後端には外鍔９Ｃが形成されているので、この外鍔９Ｃにより先カバー１２の後端とグリップ８の前端との接触面積は極わずかとなる。したがって、先カバー１２の後端とグリップ８の前端及び先部材９の外側突部９Ｄとグリップ８の内端面８Ａの接触面積は極わずかとなるので、先部材９を軸筒７に螺合する時の先部材９及び先カバー１２とグリップ８の摩擦抵抗は少なく、先部材９を軽い力で螺合できる。したがって、先部材９の締め不足がなくなるとともにグリップ８がねじれてしまう恐れもなくなるものである。更に、筆記する時に、グリップ８部分のみではなく先カバー１２を把持して筆記した場合でも滑り止め効果が期待できる。
【００１９】
金属製の重量体１３は筒状に構成され、この重量体１３を前記軸筒７の後端より開口された内孔７Ｄに摺動可能に内蔵する。この重量体１３の貫通孔に前記芯タンク３が挿通される。
【００２０】
以上説明した振出式シャープペンシルは、指でグリップ８や先カバー１２を把持して筆記が行われる。また、芯１０を繰り出すために軸筒７を振ると、重量体１３に慣性力が働き、重量体１３がコネクター２の鍔部２Ａに当接する。すると、コネクター２とともにチャック１及び芯タンク３も前進し一定量芯１０が繰り出される。
【００２１】
また、先部材９内に折損芯が発生した場合には、先部材９を外して折損芯を排除する。その後、先部材９を軸筒７に螺合する。したがって、シャープペンシルの場合は先部材９の着脱が頻繁に行われるので、先部材９が軽い力で螺合できる事が特に好ましい。
【００２２】
図２に示した実施例２は、実施例１と同様筆記具を振出式シャープペンシルで説明するものである。尚、図１と同一の部材は同一の符号を付してその説明は省略する。
【００２３】
軸筒７の把持部７Ｂに装着される滑り止め用のグリップ１０８は、前端面１０８Ｂが平坦に構成される。
【００２４】
また、先カバー１１２は、前述したグリップ１０８と同じ弾性体で形成され、かつ、前方に向かって縮径されて形成される。更に、先カバー１１２の前端部に前部内鍔１１２Ａが形成されるとともに、後部に後部内鍔１１２Ｂが形成される。更に、先カバー１１２には、後部内鍔１１２Ｂより後方に突出した後端部１１２Ｃが形成される。
【００２５】
前記先カバー１１２は、先部材９の先端部を除く外周面のほぼ全体を覆うように装着され、前記前部内鍔１１２Ａが前部係止溝９Ａに係合されるとともに後部内鍔１１２Ｂが後部係止溝９Ｂに係合される。また、先部材９の外鍔９Ｃ部分には先カバー１１２の後端部１１２Ｃが被さり、外側突部９Ｄよりわずかに後方に突出している。
【００２６】
この先部材９を軸筒７の前部に着脱可能に螺合し、軸筒７の前端と先部材９の内段９Ｆにより連結具５を挾持する。また、先部材９の後端面には外側突部９Ｄと内側突部９Ｅが形成されているので、先部材９を螺合する時、内側突部９Ｅが軸筒７の段部７Ｃに当接されて先部材９の螺合が止められる。また、先部材９の外側突部９Ｄがグリップ１０８の前端面１０８Ｂに接触するので、先部材９とグリップ１０８の接触面積は少なくなる。更に、先部材９の後端には外鍔９Ｃが形成されているので、この外鍔９Ｃにより先カバー１１２の後端とグリップ１０８の前端面１０８Ｂとの接触面積は極わずかとなる。
【００２７】
先カバー１１２の後端とグリップ１０８の前端面１０８Ｂ、及び先部材９の外側突部９Ｄとグリップ１０８の前端面１０８Ｂの接触面積が極わずかになると、先部材９を軸筒７に螺合する時の先部材９及び先カバー１１２とグリップ１０８の摩擦抵抗は少なくなり、先部材９を軽い力で螺合できる。したがって、先部材９の締め不足がなくなるとともにグリップ１０８がねじれてしまう恐れもなくなるものである。更に、筆記時に、グリップ１０８部分のみではなく先カバー１１２を把持して筆記した場合でも滑り止め効果が期待できる。
【００２８】
尚、本発明は上記実施例に限定されるものではなく、筆記具としては、振出式シャープペンシルの他に、ノック式シャープペンシルやノック式ボールペン等に利用可能である。また、軸筒は胴や鞘といった２個以上の部品を螺合や嵌合等によって一体に構成しても良い。更に、先部材の螺合を止める手段としては、先部材の内側突部を軸筒の段部に当接する以外に先部材の内段を連結具に当接しても良い。
【産業上の利用可能性】
【００２９】
先端部分を把持しても滑り止め効果が得られる筆記具に適用できる。
【図面の簡単な説明】
【００３０】
【図１】本発明の実施例１の筆記具を示す主要部断面図である。（実施例１）
【図２】本発明の実施例２の筆記具を示す主要部断面図である。（実施例２）
【符号の説明】
【００３１】
７  軸筒
７Ｂ  軸筒７の把持部
７Ｃ  軸筒７の段部
８  グリップ
８Ａ  グリップ８の内端面
９  先部材
９Ｃ  先部材９の外鍔
９Ｄ  先部材９の外側突部
９Ｅ  先部材９の内側突部
１２  先カバー
１０８  グリップ
１０８Ｂ  グリップ１０８の前端面
【図１】
2008307805.tif 000003
【図２】
2008307805.tif 000004